(57)【特許請求の範囲】
【請求項１】
コアの胴部にワイヤを巻き回し、該ワイヤの両端をコアの鍔部に設けた電極上にそれぞれ固着したコイル部品の巻線装置において、
ワイヤを電極上に固着する端末処理手段と、
挿通されたワイヤの先端部分をコアに対して位置決め及びガイドするノズルと、
前記ノズルの後方に位置してワイヤを把持／解放可能なブレーキと、
前記ブレーキをワイヤの延在方向に往復移動させる移動手段と、
前記ノズル、ブレーキ及び移動手段を保持して三次元的に移動させるアーム部材と、
を備えたことを特徴とする巻線装置。
【請求項２】
請求項１記載の巻線装置による巻線方法であって、
コアの第１電極上にワイヤの始端部を端末処理手段で固着し、
ブレーキがワイヤを解放した状態でワイヤをコアの胴部に所定のターン数巻き回し、
巻き回されたワイヤをコアの第２電極上に位置させて端末処理手段で固着し、
ブレーキを所定量ｘ１後退させてワイヤを把持させ、
巻き回したワイヤの終端部を端末処理手段で第２電極上に固着し、
ブレーキがワイヤを把持した状態で所定量ｘ２後退させてワイヤの終端部をカットし、
ワイヤが巻き回されたコアを巻線処理位置から取り去り、新たなコアを巻線処理位置にセットし、
ブレーキがワイヤを把持した状態で所定量ｘ１＋ｘ２前進させる、
ことを特徴とする巻線方法。
【発明の詳細な説明】
【０００１】
【産業上の利用分野】
本発明は、コイル部品の巻線装置及び巻線方法に関する。
【０００２】
【従来の技術】
従来、トランスやインダクタ等のコイル部品にワイヤを巻き回すには、図４、図５に示す方法が知られている。まず、図４▲１▼に示すように、所定位置にセットされたコア１の鍔部２上にノズル３から引き出されたワイヤＷを位置決めし、ヒータチップ４を下降させてワイヤＷを鍔部２に設けた第１電極（図示せず）上に圧着固定する。次に、図４▲２▼に示すように、ワイヤＷの余剰線Ｗ’をチャック５で把持し、カットバー６を上昇させる。これにて、余剰線Ｗ’がカットされ、この余剰線Ｗ’はチャック５によって廃棄される（図４▲３▼参照）。次に、ノズル３を上下動させつつコア１を回転させることによりワイヤＷをコア１に巻き回す（図５▲４▼参照）。その後、ワイヤＷを鍔部２上に引き出し、再びヒータチップ４を下降させて第２電極（図示せず）上に圧着固定する（図５▲５▼参照）。
【０００３】
【発明が解決しようとする課題】
ところで、従来の巻線方法では、１回の巻線処理ごとに必ず余剰線Ｗ’が発生し、不経済であった。また、余剰線Ｗ’をカットするのにカットバー６、廃棄するのにチャック５が必要であり、それらの駆動機構を含めて設備が複雑化、大型化するという問題点を有していた。
【０００４】
そこで、本発明の目的は、余剰線が発生することがなく、かつ、設備を簡略化、小型化できる巻線装置及び巻線方法を提供することにある。
【０００５】
【発明の構成及び作用】
以上の目的を達成するため、本発明に係る巻線装置は、ワイヤを電極上に固着する端末処理手段と、挿通されたワイヤの先端部分をコアに対して位置決め及びガイドするノズルと、このノズルの後方に位置してワイヤを把持／解放可能なブレーキと、このブレーキをワイヤの延在方向に往復移動させる移動手段と、前記ノズル、ブレーキ及び移動手段を保持して三次元的に移動させるアーム部材とを備えている。端末処理手段としてはヒータチップを用いることが好ましい。
【０００６】
以上の構成からなる巻線装置は次のようにしてコアの胴部にワイヤを巻き回す。但し、この巻線方法に限定されない。
まず、コアの第１電極上にワイヤの始端部を位置させて端末処理手段で固着する。ワイヤを第１電極上に位置させるのはアーム部材の移動による。次にコアの胴部にワイヤを所定のターン数巻き回す。このとき、ブレーキはワイヤを解放しており、かつ、アーム部材の移動によってノズルを適当な位置に移動させて巻き回し処理を行う。この巻き回し処理はコアを回転させるか、コアを固定してアーム部材をコアの周囲で旋回させて行う。
【０００７】
次に、巻き回されたワイヤをコアの第２電極上に位置させて端末処理手段で固着する。そして、ブレーキを所定量ｘ１後退させてワイヤを把持させ、かつ、ワイヤの終端部を端末処理手段で第２電極上に固着する。さらに、ブレーキを所定量ｘ２後退させる。これにてワイヤの終端部が後方に引っ張られてカットされる。
【０００８】
その後、ワイヤが巻き回されたコアを巻線処理位置から取り去り、新たなコアを該位置にセットし、ブレーキを所定量ｘ１＋ｘ２前進させる。これにて、前回の巻線処理でカットされたワイヤの終端部がコアの鍔部上に位置し、新たに始端部として第１電極上に固着される。
【０００９】
【実施例】
以下、本発明に係る巻線装置及び巻線方法の実施例について添付図面を参照して説明する。
【００１０】
図１において、チャック装置１０はコア１５を保持して回転させる機能を有するもので、装置１０自体はロータリ装置（図示せず）に設置されており、コア１５を図１に示す巻線処理位置から次の工程位置へと間欠的に移動させる。なお、チャック装置１０やロータリ装置は周知である。コア１５は胴部１６とその上下部に鍔部１７，１８を備え、鍔部１８上には第１電極１９ａ、第２電極１９ｂが設けられている。
【００１１】
本巻線装置は、主に、ヒータチップ２０とノズル２１とブレーキ２３と図２に示すアーム２５とで構成されている。ワイヤＷは図示しない周知の供給装置から引き出され、ガイドレール２６からブレーキ２３を通じてノズル２１に挿通されている。ノズル２１はブラケット２２を介してアーム２５の先端に取付けられている。ブレーキ２３は二つのセグメントが図示しないシリンダを駆動源として密着／離間可能であり、ワイヤＷを挟着／解放する。また、このブレーキ２３はアーム２５の水平部分上に設置したガイドレール２４上にスライド可能に装着され、図示しない駆動源（例えば、モータ）によってワイヤＷの延在方向に所定のストロークで往復移動可能である。アーム２５は三次元的に、即ち、ワイヤＷの延在方向、これと直交する水平方向及び上下方向に移動可能である。このようにアーム２５を三次元的に移動させる装置は種々のものが知られており、その説明は省略する。
【００１２】
前記ヒータチップ２０は上下動可能であり、常時上方に待機しており、下降することによってワイヤＷを電極１９ａ，１９ｂ上に熱圧着して固定させる。このヒータチップ２０はワイヤＷをカットする機能をも有するため、先端部２０ａはエッジ状であることが好ましい。
【００１３】
次に、図３を参照して巻線方法について説明する。
まず、アーム２５を駆動してノズル２１の先端から引き出されているワイヤＷの先端をコア１５の第１電極１９ａ上に位置させ、ヒータチップ２０を下降させる（図３（ａ）参照）。これにて、ワイヤＷの始端部が第１電極１９ａ上に熱圧着／固定される。
【００１４】
次に、ブレーキ２３を解放した状態でアーム２５を駆動し、ノズル２１を所定の巻線位置に移動させつつコア１５を回転させる（図３（ｂ）参照）。これにて、ワイヤＷがコア１５の胴部１６に巻き回される。ワイヤＷの巻き回しが終了すると、アーム２５を駆動してワイヤＷを第２電極１９ｂ上に位置させ、図３（ｃ）に示すように、ブレーキ２３をストロークｘ１だけ後退させ、その位置でブレーキ２３を閉じてワイヤＷを挟着させる。
【００１５】
その後、ヒータチップ２０を再度下降させてワイヤＷの終端部を第２電極１９ｂ上に熱圧着／固定する（図３（ｄ）参照）。そして、ブレーキ２３をワイヤＷを挟着した状態でストロークｘ２だけ後退させる（図３（ｅ）参照）。このとき、ワイヤＷの終端部はヒータチップ２０のエッジ部２０ａ（図１参照）部分でカットされる。これにて、コア１５に対する巻線が終了する。
【００１６】
その後は、前記コア１５を巻線処理位置から取り去り、図３（ｆ）に示すように、次のコア１５’を巻線処理位置へセットする。そして、ブレーキ２３をストロークｘ１＋ｘ２だけ前進させる（図３（ｇ）参照）。これにて、ワイヤＷの先端部が第１電極１９ａ上に位置する。この状態は図３（ａ）と同じであり、以下、前記と同じ手順でコア１５’に対して巻線処理が実行される。
【００１７】
以上説明した本実施例によれば、カットされたワイヤの終端部が次回の巻線処理では始端部として使用され、従来のように廃棄せざるを得ない余剰線が発生することはなく、非常に経済的である。また、従来必要とされていたカットバーや廃棄用チャックが不要で、ブレーキ２３を設けるだけで済み、設備の面でも簡略化、小型化が達成される。
【００１８】
なお、本発明に係る巻線装置及び巻線方法は前記実施例に限定するものではなく、その要旨の範囲内で種々に変更可能である。
特に、ヒータチップ２０やブレーキ２３の構成は任意である。また、巻き回し処理の際、コア１５を回転させるのではなく、ノズル２１等を含めてアーム２５をコア１５を中心として旋回させる方式でもよい。
【００１９】
【発明の効果】
以上の説明で明らかなように、本発明によれば、ノズルの後方にワイヤを把時／解放可能なブレーキをワイヤの延在方向に往復移動可能に設けたため、前の巻線処理でカットされたワイヤの終端部を次の巻線処理の始端部として使用でき、余剰線は全く発生することがなく、経済的である。また、ブレーキを新たに設けるだけでよく、従来必要とされていたカットバー、廃棄用チャックが不要となり、設備のコンパクト化を達成できる。
【図面の簡単な説明】
【図１】本発明の一実施例である巻線装置の要部を示す斜視図。
【図２】前記巻線装置のノズル、ブレーキ及びアームを示す側面図。
【図３】本発明の一実施例である巻線方法を示す説明図。
【図４】従来の巻線方法を示す説明図。
【図５】従来の巻線方法を示す説明図、図４の続き。
【符号の説明】
１５…コア
１９ａ，１９ｂ…電極
２０…ヒータチップ
２１…ノズル
２３…ブレーキ
２５…アーム
【図１】
0003557706.tif 000002
【図２】
0003557706.tif 000003
【図３】
0003557706.tif 000004
【図４】
0003557706.tif 000005
【図５】
0003557706.tif 000006